【手続補正書】
【提出日】令和2年2月18日(2020.2.18)
【手続補正１】
【補正対象書類名】特許請求の範囲
【補正対象項目名】全文
【補正方法】変更
【補正の内容】
【特許請求の範囲】
【請求項１】
口腔清掃装置のユーザに対してフィードバックを供給するための方法であって、前記方法は、
前記口腔清掃装置のセンサから、一次清掃セッションの間のセンサデータを受信するステップと、
前記受信されたデータから、前記一次清掃セッションの１又は複数のパラメータについての情報を抽出するとともに、前記抽出された情報に基づいて、前記一次清掃セッションを評価するステップと、
前記評価に基づいて、二次清掃セッションが必要かどうかを決定するステップと、
ユーザインタフェースを介して、前記二次清掃セッションが必要であるという表示を前記ユーザに供給するステップと、
前記二次清掃セッションに関連する前記口腔清掃装置の動作モードを実施するステップと、
を有する、方法。
【請求項２】
前記１又は複数のパラメータが、前記一次清掃セッションの持続時間、前記一次清掃セッションの間に付与された圧力、前記一次清掃セッションの間の口内における前記口腔清掃装置の位置、前記一次清掃セッションの間の前記口腔清掃装置の角度、及び、それらの任意の組み合わせからなるグループから選択される、請求項１記載の方法。
【請求項３】
前記決定するステップが、前記抽出された情報と所定の閾値とを比較するステップを有する、請求項１記載の方法。
【請求項４】
前記評価が、１又は複数のルールのセットを用いた、前記抽出された情報の分析を有する、請求項１記載の方法。
【請求項５】
前記表示が、前記二次清掃セッションの間に追加の清掃が必要な前記ユーザの口の１又は複数のセグメントについての情報、及び／又は、追加の清掃が必要な前記ユーザの口の前記１又は複数のセグメントに必要な追加の清掃時間の量についての情報を有する、請求項１記載の方法。
【請求項６】
前記一次清掃セッション及び／又は前記二次清掃セッションの間に前記ユーザに対して清掃セッションについてのリアルタイムフィードバックを供給するステップを更に有する、請求項１記載の方法。
【請求項７】
前記口腔清掃装置の前記センサから、前記二次清掃セッションの間のセンサデータを受信するステップを更に有する、請求項１記載の方法。
【請求項８】
清掃セッションについてユーザにフィードバックを供給するように構成された口腔清掃装置であって、前記口腔清掃装置は、
ブラッシングセッションに関するデータを取得するように構成されたセンサと、
前記ブラッシングセッションについて前記ユーザにフィードバックを供給するように構成されたユーザインタフェースと、
前記センサ及び前記ユーザインタフェースと通信するコントローラと、
を有し、
前記コントローラは、前記センサから、一次清掃セッションの間のセンサデータを受信し、前記受信されたデータから、前記一次清掃セッションの１又は複数のパラメータについての情報を抽出するとともに、前記抽出された情報に基づいて、前記一次清掃セッションを評価し、前記評価に基づいて、二次清掃セッションが必要かどうかを決定し、前記ユーザインタフェースを介して、前記二次清掃セッションが必要であるという表示を前記ユーザに供給し、前記二次清掃セッションに関連する前記口腔清掃装置の動作モードを実施するように構成される、口腔清掃装置。
【請求項９】
前記センサが、ジャイロスコープ、加速度計、及び、磁力計のうちの１又は複数である、請求項８記載の口腔清掃装置。
【請求項１０】
前記１又は複数のパラメータが、前記一次清掃セッションの持続時間、前記一次清掃セッションの間に付与された圧力、前記一次清掃セッションの間の口内における前記口腔清掃装置の位置、前記一次清掃セッションの間の前記口腔清掃装置の角度、及び、それらの任意の組み合わせからなるグループから選択される、請求項８記載の口腔清掃装置。
【請求項１１】
前記表示が、前記二次清掃セッションの間に追加の清掃が必要な前記ユーザの口の１又は複数のセグメントについての情報、及び／又は、追加の清掃が必要な前記ユーザの口の前記１又は複数のセグメントに必要な追加の清掃時間の量についての情報を有する、請求項８記載の口腔清掃装置。
【請求項１２】
前記コントローラが、前記一次清掃セッション及び／又は前記二次清掃セッションの間に前記ユーザに対して前記清掃セッションについてのリアルタイムフィードバックを供給するように更に構成される、請求項８記載の口腔清掃装置。
【請求項１３】
清掃セッションについてユーザにフィードバックを供給するように構成された口腔清掃システムであって、前記口腔清掃システムは、
ブラッシングセッションに関するセンサデータを取得するように構成されたセンサと、前記取得されたセンサデータを送信するように構成された接続モジュールと、を有する口腔清掃装置と、
前記送信されたセンサデータを受信するように構成された通信モジュールと、前記受信されたデータから、一次清掃セッションの１又は複数のパラメータについての情報を抽出するとともに、前記抽出された情報に基づいて、前記一次清掃セッションを評価し、前記評価に基づいて、二次清掃セッションが必要かどうかを決定し、前記二次清掃セッションが必要であるという表示を前記ユーザに供給し、前記二次清掃セッションに関連する前記口腔清掃装置の動作モードを実施するように構成されたプロセッサと、を有するリモート装置と、
を有する、口腔清掃システム。
【請求項１４】
前記リモート装置が、前記表示を供給するように構成されたユーザインタフェースを有する、請求項１３記載の口腔清掃システム。
【請求項１５】
前記ユーザインタフェースが、前記清掃セッションの間、前記ユーザに対して前記清掃セッションについてのリアルタイムフィードバックを供給するように構成される、請求項１４記載の口腔清掃システム。
【手続補正２】
【補正対象書類名】明細書
【補正対象項目名】００５０
【補正方法】変更
【補正の内容】
【００５０】
当該方法のオプションのステップ３３５において、清掃セッション中、口腔清掃装置１０及び／又はリモート装置４０は、図４から図６に示されるように、清掃セッション中に指示及び／又はフィードバックをユーザに供給する。最初のステップとして、システムは、口腔清掃装置１０がオンされた場合に、清掃セッションを開始するように指示する。センサ２８がユーザの口内において口腔清掃装置１０の位置を決定すると、口腔清掃装置１０及び／又はリモート装置４０上のユーザインタフェース４６は、現在の部分で消費された時間量及び総清掃時間を示すタイマとともに、ユーザの口、及び、現在清掃されている口内の部分の描写を表示することができる。ユーザは、特定の部分又は特定の領域をどれくらい長く清掃するのかについて知るためにタイマを用いることができる。ユーザが特定の部分で適切な時間期間に亘って清掃しない場合、プロセッサは、ユーザの口の中の装置１０の位置の変化に基づいてこれを判定することができ、プロセッサは、ステップ３４０で使用するためにその情報を記憶する。ユーザが特定の口内部分又は領域を所定の時間量ブラッシングした場合、ユーザインタフェース４６上に当該情報を表示することに加え、システムは、ユーザインタフェース４６上の命令によって、音声信号によって、触覚フィードバックによって、又は、斯かる信号の組み合わせによって、ユーザの口内の異なる位置に切り替えるようユーザに指示することができる。さらに、プロセッサは、データを分析し、清掃セッション中、ユーザにリアルタイムフィードバックを供給することができる。例えば、口腔清掃装置が圧力センサを含む場合、パフォーマンス評価モジュールは、特徴抽出モジュールによって圧力センサから抽出されたデータを分析し、ブラッシング中、ユーザが適正な圧力量を付与しているかどうかを判定することができる。ユーザが適正な圧力量を付与していない場合、図５に示されるようなフィードバックが、ユーザインタフェース４６を介してユーザに供給され得る。